(57)【要約】【課題】リモコン送信機の操作をしにくい環境にあっても、確実に電源の投入ができる電気機器およびその制御方法が望まれた。【解決手段】制御部１２は、電源部１６を参照することにより、現在、本体１０の電源が未投入の状態であるか否かを判断する（Ｓ３）。電源が投入されている状態であった場合には、制御部１２は、チャンネル１の選局信号を出力し（Ｓ１１）、終了（Ｓ６）となる。電源が未投入であった場合には、制御部１２は、切替部１８を参照することにより、現在のモードがオールパワーオンモードであるか否かを判断する（Ｓ４）。オールパワーオンモードであった場合には、電源投入の信号を電源部１６に出力する（Ｓ５）。【選択図】図３
2008135917.tif 000002
【特許請求の範囲】
【請求項１】
複数の操作キーを有するリモコン送信機と本体とからなり、前記リモコン送信機から発せられる信号により、前記本体において電源投入を含む複数の動作が行われる電気機器であって、
前記本体の電源が投入されていない状態では、前記複数の操作キーのいずれかが操作された場合に、前記本体の電源を投入する動作のみを行なうことを特徴とする電気機器。
【請求項２】
前記本体は前記複数の動作を制御する制御部を有し、
該制御部は、モード設定においてオールパワーオンモードが設定され、かつ前記本体の電源が投入されていない状態では、前記複数の操作キーのいずれかが操作された場合に、前記本体の電源を投入する動作のみを行なうことを特徴とする請求項１に記載の電気機器。
【請求項３】
前記制御部は、前記オールパワーオンモードが設定されていない状態では、前記各操作キーが操作された場合に、前記各操作キーに対応した動作のみを行うことを特徴とする請求項２に記載の電気機器。
【請求項４】
前記本体は、前記オールパワーオンモードが設定されているか否かのモード設定の切替を行なう切替部を有することを特徴とする請求項２または３に記載の電気機器。
【請求項５】
前記切替部は、リモコン送信機におけるキー操作または前記本体における切替スイッチの操作により、前記本体の電源が投入されていない状態における前記モード設定を切り替えることを特徴とする請求項４に記載の電気機器。
【請求項６】
前記制御部は、前記複数の操作キーのいずれかが操作された場合に、時刻に応じて、前記本体の電源を投入する動作のみを行なうことを特徴とする請求項１乃至５のいずれか１項に記載の電気機器。
【請求項７】
前記制御部は、前記複数の操作キーのいずれかが操作された場合に、前記本体の電源が投入されていない時間に応じて、前記本体の電源を投入する動作のみを行なうことを特徴とする請求項１乃至６のいずれか１項に記載の電気機器。
【請求項８】
前記制御部は、前記複数の操作キーのいずれかが操作された場合に、直前に前記複数の操作キーのいずれかが操作されてからの経過時間に応じて、前記本体の電源を投入する動作のみを行なうことを特徴とする請求項１乃至７のいずれか１項に記載の電気機器。
【請求項９】
前記制御部は、前記複数の操作キーのいずれかが操作された場合に、前記リモコン送信機または前記本体の存する場所の照度に応じて、前記本体の電源を投入する動作のみを行なうことを特徴とする請求項１乃至８のいずれか１項に記載の電気機器。
【請求項１０】
前記リモコン送信機は、前記各操作キーの操作に際し、前記各操作キーに対応した信号を発することを特徴とする請求項１乃至９のいずれか１項に記載の電気機器。
【請求項１１】
前記リモコン送信機は、モード設定においてオールパワーオンモードが設定され、かつ前記複数の操作キーのいずれかが操作された場合に、前記本体の電源投入の信号を発することを特徴とする請求項１乃至９のいずれか１項に記載の電気機器。
【請求項１２】
前記電気機器はテレビジョン受像機、エアコン、ビデオデッキ、ＤＶＤプレーヤー、カーナビゲーションシステムのいずれかであることを特徴とする請求項１乃至１１のいずれか１項に記載の電気機器。
【請求項１３】
複数の操作キーを有するリモコン送信機と本体とからなり、前記リモコン送信機から発せられる信号により、前記本体において電源投入を含む複数の動作が行われる電気機器の制御方法であって、
前記本体の電源が投入されていない状態では、前記複数の操作キーのいずれかが操作された場合に、前記本体の電源を投入する動作のみを行なうことを特徴とする電気機器の制御方法。
【請求項１４】
前記本体では、オールパワーオンモードであるか否かのモード設定がなされ、
前記オールパワーオンモードが設定され、かつ前記本体の電源が投入されていない状態では、前記複数の操作キーのいずれかが操作された場合に、前記本体の電源を投入する動作のみを行なうことを特徴とする請求項１３に記載の電気機器の制御方法。
【請求項１５】
前記オールパワーオンモードが設定されていない状態では、前記各操作キーが操作された場合に、前記各操作キーに対応した動作のみを行うことを特徴とする請求項１４に記載の電気機器の制御方法。
【請求項１６】
前記複数の操作キーのいずれかが操作された場合に、時刻に応じて、前記本体の電源を投入する動作のみを行なうことを特徴とする請求項１３乃至１５のいずれか１項に記載の電気機器の制御方法。
【請求項１７】
前記複数の操作キーのいずれかが操作された場合に、前記本体の電源が投入されていない時間に応じて、前記本体の電源を投入する動作のみを行なうことを特徴とする請求項１３乃至１６のいずれか１項に記載の電気機器の制御方法。
【請求項１８】
前記複数の操作キーのいずれかが操作された場合に、直前に前記複数の操作キーのいずれかが操作されてからの経過時間に応じて、前記本体の電源を投入する動作のみを行なうことを特徴とする請求項１３乃至１７のいずれか１項に記載の電気機器の制御方法。
【請求項１９】
前記複数の操作キーのいずれかが操作された場合に、前記リモコン送信機または前記本体の存する場所の照度に応じて、前記本体の電源を投入する動作のみを行なうことを特徴とする請求項１３乃至１８のいずれか１項に記載の電気機器の制御方法。
【請求項２０】
前記リモコン送信機は、前記各操作キーの操作に際し、前記各操作キーに対応した信号を発することを特徴とする請求項１３乃至１９のいずれか１項に記載の電気機器の制御方法。
【請求項２１】
前記リモコン送信機は、モード設定においてオールパワーオンモードが設定され、かつ前記複数の操作キーのいずれかが操作された場合に、前記本体の電源投入の信号を発することを特徴とする請求項１３乃至１９のいずれか１項に記載の電気機器の制御方法。
【発明の詳細な説明】
【技術分野】
【０００１】
本発明は、リモコン送信機からの信号により電源投入を含む複数の動作がなされる電気機器およびその制御方法に関する。
【背景技術】
【０００２】
一般に、大型の家庭用電気機器では、リモコン送信機により各種の制御がなされている。例えば、テレビジョン受像機においては、電源の投入や、選局動作は利用者の手元にあるリモコン送信機のキー操作によって行うことができる。リモコン送信機は赤外線通信等によりこれらの動作を行うための信号をテレビジョン受像機本体に送信する。このため、利用者は、テレビジョン受像機本体から２ｍ以上離れた距離からでもこれらの操作を行うことができた。
【０００３】
こうしたリモコン送信機による操作は利用者にとって便利であるが、リモコン送信機は利用者が片手で操作できる程度の小型のものであるのが一般的である。このため、リモコン送信機に設けられる操作キーの数は概ね２０個以下であり、テレビジョン受像機の全ての機能を制御するためには不十分であった。その反面、操作キーの数が多い場合には、利用者が所望の操作キーを探すのに時間がかかる場合がある。そこで、こうした問題点を改善し、利用者によるリモコン送信機の操作を容易にするための方法が各種提案されている。
【０００４】
特許文献１には、同一の操作キーを複数回操作することで、各種の異なる制御を行う技術が記載されている。これにより、利用者は、操作キーの数の少ないリモコン送信機を用いた場合でも各種の制御を行うことができた。
【０００５】
特許文献２には、各操作キー（タッチパネル）のレイアウトを自由に変更でき、特に使用頻度に基づいて操作キーのレイアウトを変更する技術が記載されている。これにより、使用頻度の高い操作キーは、利用者にとって識別しやすく操作しやすい位置に再配置され、特に操作しやすいものとなった。
【０００６】
また、利用者により行われる操作のうち、特に重要な操作としては、機器の利用の最初に必ず行なう電源投入がある。例えば、この操作に用いられる「電源」キーを、他の操作キーとは異なる色で操作キーの配列の一番端に設けて識別性を高め、操作しやすくするということも行われている。
【０００７】
このように、リモコン送信機における操作キーの動作やその配置を工夫することにより、利用者にとって操作のしやすい電気機器が得られた。
【特許文献１】特開平６−２１５４４３号公報
【特許文献２】特開２００２−１１２３６１号公報
【発明の開示】
【発明が解決しようとする課題】
【０００８】
しかしながら、特に電源投入の操作に関しては、他の操作キーとは異なった状況で操作される場合が多い。例えば、テレビジョン受像機の電源投入は、その利用の最初に必ず行われ、一般家庭においては利用者が帰宅してすぐに行われる場合が多い。ところが、帰宅が夜の場合には、帰宅してすぐの状態では室内灯がまだ充分に点灯しておらず、室内は暗い場合が多い。また、大型のディスプレイを備えるテレビジョン受像機の場合には、その画面を室内灯の代わりに用いることもある。このため、電源投入は室内が暗い場合でも容易に行えることが好ましいが、上記の従来のいずれの方法によっても室内が暗い場合にはこの操作は容易ではない。このため、利用者は、室内が充分明るくなってからでないとこの確実な操作ができなかった。このため、リモコン送信機の操作をしにくい環境にあっても、確実に電源の投入ができる電気機器およびその制御方法が望まれた。
【０００９】
本発明はこのような状況に鑑みてなされたものであり、上記問題点を解決できる電気機器およびその制御方法を提供することを目的とする。
【課題を解決するための手段】
【００１０】
本発明は、上記課題を解決すべく、以下に掲げる構成とした。
本発明の電気機器は、複数の操作キーを有するリモコン送信機と本体とからなり、前記リモコン送信機から発せられる信号により、前記本体において電源投入を含む複数の動作が行われる電気機器であって、前記本体の電源が投入されていない状態では、前記複数の操作キーのいずれかが操作された場合に、前記本体の電源を投入する動作のみを行なうことを特徴とする。
本発明の電気機器において、前記本体は前記複数の動作を制御する制御部を有し、該制御部は、モード設定においてオールパワーオンモードが設定され、かつ前記本体の電源が投入されていない状態では、前記複数の操作キーのいずれかが操作された場合に、前記本体の電源を投入する動作のみを行なうことを特徴とする。
本発明の電気機器において、前記制御部は、前記オールパワーオンモードが設定されていない状態では、前記各操作キーが操作された場合に、前記各操作キーに対応した動作のみを行うことを特徴とする。
本発明の電気機器において、前記本体は、前記オールパワーオンモードが設定されているか否かのモード設定の切替を行なう切替部を有することを特徴とする。
本発明の電気機器において、前記切替部は、リモコン送信機におけるキー操作または前記本体における切替スイッチの操作により、前記本体の電源が投入されていない状態における前記モード設定を切り替えることを特徴とする。
本発明の電気機器において、前記制御部は、前記複数の操作キーのいずれかが操作された場合に、時刻に応じて、前記本体の電源を投入する動作のみを行なうことを特徴とする。
本発明の電気機器において、前記制御部は、前記複数の操作キーのいずれかが操作された場合に、前記本体の電源が投入されていない時間に応じて、前記本体の電源を投入する動作のみを行なうことを特徴とする。
本発明の電気機器において、前記制御部は、前記複数の操作キーのいずれかが操作された場合に、直前に前記複数の操作キーのいずれかが操作されてからの経過時間に応じて、前記本体の電源を投入する動作のみを行なうことを特徴とする。
本発明の電気機器において、前記制御部は、前記複数の操作キーのいずれかが操作された場合に、前記リモコン送信機または前記本体の存する場所の照度に応じて、前記本体の電源を投入する動作のみを行なうことを特徴とする。
本発明の電気機器において、前記リモコン送信機は、前記各操作キーの操作に際し、前記各操作キーに対応した信号を発することを特徴とする。
本発明の電気機器において、前記リモコン送信機は、モード設定においてオールパワーオンモードが設定され、かつ前記複数の操作キーのいずれかが操作された場合に、前記本体の電源投入の信号を発することを特徴とする。
本発明の電気機器において、前記電気機器はテレビジョン受像機、エアコン、ビデオデッキ、ＤＶＤプレーヤー、カーナビゲーションシステムのいずれかであることを特徴とする。
本発明の電気機器の制御方法は、複数の操作キーを有するリモコン送信機と本体とからなり、前記リモコン送信機から発せられる信号により、前記本体において電源投入を含む複数の動作が行われる電気機器の制御方法であって、前記本体の電源が投入されていない状態では、前記複数の操作キーのいずれかが操作された場合に、前記本体の電源を投入する動作のみを行なうことを特徴とする。
本発明の電気機器の制御方法において、前記本体では、オールパワーオンモードであるか否かのモード設定がなされ、前記オールパワーオンモードが設定され、かつ前記本体の電源が投入されていない状態では、前記複数の操作キーのいずれかが操作された場合に、前記本体の電源を投入する動作のみを行なうことを特徴とする。
本発明の電気機器の制御方法は、前記オールパワーオンモードが設定されていない状態では、前記各操作キーが操作された場合に、前記各操作キーに対応した動作のみを行うことを特徴とする。
本発明の電気機器の制御方法は、前記複数の操作キーのいずれかが操作された場合に、時刻に応じて、前記本体の電源を投入する動作のみを行なうことを特徴とする。
本発明の電気機器の制御方法は、前記複数の操作キーのいずれかが操作された場合に、前記本体の電源が投入されていない時間に応じて、前記本体の電源を投入する動作のみを行なうことを特徴とする。
本発明の電気機器の制御方法は、前記複数の操作キーのいずれかが操作された場合に、直前に前記複数の操作キーのいずれかが操作されてからの経過時間に応じて、前記本体の電源を投入する動作のみを行なうことを特徴とする。
本発明の電気機器の制御方法は、前記複数の操作キーのいずれかが操作された場合に、前記リモコン送信機または前記本体の存する場所の照度に応じて、前記本体の電源を投入する動作のみを行なうことを特徴とする。
本発明の電気機器の制御方法において、前記リモコン送信機は、前記各操作キーの操作に際し、前記各操作キーに対応した信号を発することを特徴とする。
本発明の電気機器の制御方法において、前記リモコン送信機は、モード設定においてオールパワーオンモードが設定され、かつ前記複数の操作キーのいずれかが操作された場合に、前記本体の電源投入の信号を発することを特徴とする。
【発明の効果】
【００１１】
本発明の電気機器およびその制御方法によれば、リモコン送信機の操作をしにくい環境にあっても、特に電源の投入を容易に行うことができる。
【発明を実施するための最良の形態】
【００１２】
以下、電気機器として特にテレビジョン受像機に対して本発明を適用した実施の形態について説明する。
【００１３】
（第１の実施の形態）
図１は本発明の第１の実施の形態に係るテレビジョン受像機１の構成図である。このテレビジョン受像機１は、本体１０と、本体１０を制御する信号を赤外線通信によって発するリモコン送信機２０とからなる。リモコン送信機２０は、複数の操作キーを備えており。利用者は、この操作キーを選択して操作することにより、本体１０の制御を行なう。リモコン送信機２０は、各操作キーに対応する信号を送信する。
【００１４】
本体１０は、この信号を受光する受光部１１を備える。受光部１１はこの信号を電気信号に変換して制御部１２に送信する。制御部１２は、この電気信号がどの操作キーの操作により発せられたかを判定し、この電気信号に基づいて、この本体１０の各構成要素を制御する。この本体１０においては、テレビ放送を受信してこの映像音声を出力するために、選局部１３、映像処理部１４、表示部１５を備える。選局部１３は放送用電波を選局し、映像処理部１４は、この選局された放送用電波から映像・音声信号を復調して取り出す。表示部１５は、この映像信号をディスプレイで、音声信号をスピーカで出力する。ディスプレイには例えば、液晶ディスプレイが用いられる。また、この本体１０全体に電源を供給する電源部１６を備える。さらに、このテレビジョン受像機１の制御に関する情報等を表示部１５に出力させるために、この情報に関する映像信号を作るOSD（On Screen Display）発生部１７を、映像処理部１４と表示部１５の間に備える。選局部１３、映像処理部１４、表示部１５、電源部１６、およびOSD発生部１７は、制御部１２により制御される。さらに、本体１０は、制御部１２の動作を規定するモード設定を切り替える切替部１８を備える。
【００１５】
なお、電源部１６による電力供給は、本体１０における各構成要素毎に行うことができるが、利用者がテレビ番組を視聴できる状態とするには、前記の全ての構成要素に電力が供給される必要がある。一方、どの構成要素にも電力が供給されていない状態では、利用者はテレビ番組を視聴することができない上に、リモコン送信機２０からの信号も受け付けることができない。これに対して、受光部１１および制御部１２にのみ電力が供給され、他の構成要素には電力が供給されていない状態では、リモコン送信機２０からの信号を受け付けることが可能であるため、他の構成要素への電力供給のＯＮ・ＯＦＦをリモコン送信機２０からの操作によって行うことができる。従って、以降では、受光部１１と制御部１２には常に電源が投入されているものとし、これ以外の構成要素に電力を供給することを「電源を投入する」と呼称し、逆を「電源を切断する」と呼称する。なお、受光部１１と制御部１２の消費電力は表示部１５や映像処理部１４の消費電力と比べて無視できるほど小さいため、これらに常時電力が供給されていてもその消費電力は小さいため、問題にはならない。
【００１６】
ここで、制御部１２の動作を規定する動作モードとして、オールパワーオンモードがある。後述するように、オールパワーオンモードが設定され、かつ電源が投入されていない状態においては、リモコン送信機２０の全ての操作キーが電源投入キーとしての役割をする。これ以外の状態では、リモコン送信機２０の各操作キーが操作されると、このテレビジョン受像機１は、各操作キーに対応した動作を行なう。
【００１７】
図２はリモコン送信機２０の構成を示す構成図である。このリモコン送信機２０は、複数の操作キー２１Ａ〜２１Ｚと、リモコン制御部２２と、赤外線出力部２３とからなる。なお、ここで操作キーは２１Ａ〜２１Ｚとしたが、その数は任意である。ただし、リモコン送信機２０の全体のサイズが大きくならないように、概ね２０個以下であることが好ましい。リモコン制御部２２は、操作キー２１Ａ〜２１Ｚに接続され、そのいずれかが操作される（押される）と、これに対応する信号を作成し、赤外線出力部２３に出力する。赤外線出力部２３は、この信号を赤外線で変調した赤外線信号を外部に出力する。ここで、リモコン制御部２２の機能は、操作キーに対応した信号を作成することだけであり、他の機能は不要である。従って、リモコン制御部２２を単純な電気回路で構成することが可能であり、リモコン送信機２０の構成も単純となる。このためリモコン送信機２０は、利用者が片手で操作しやすい小型のものとすることができる。また、このリモコン送信機２０自身の電源スイッチは設けず、キー操作が行われた際に一時的にリモコン制御部２２、赤外線出力部２３の電源が投入される構成とすることができる。
【００１８】
このリモコン送信機２０における各操作キーと、本体１０における動作とは対応づけられており、この動作名が各操作キーに表示されている。このため、少なくとも操作キーの数だけの動作を対応させることができる。この動作としては、例えば、「チャンネル１の選局」〜「チャンネル１２の選局」（「１」〜「１２」と表示）、「音量の１段階増加」（「音量＋」と表示）、「音量の１段階減少」（「音量−」と表示）を対応させることができる。また「電源投入」、「電源切断」「テレビ入力」、「ビデオ入力」等も対応させることができる。ここで、例えば「電源投入」、「電源切断」の操作は、「電源」と表示された一つの操作キーで行うこともできる。この場合は、この操作キーは電源が切断時には電源投入の機能に対応し、電源が投入されている場合には電源切断の機能に対応する。「テレビ入力」、「ビデオ入力」についても、同様に「テレビ／ビデオ切替」と表示された一つの操作キーとし、これを操作する度に入力がテレビの場合とビデオの場合が交互に切り替わる設定とすることができる。
【００１９】
ここで、リモコン送信機２０において一つの操作キー（操作キーＡ：２１Ａ）が操作された場合の制御部１２等の動作を示すフローチャートが図３である。ここで、操作キーＡには、「チャンネル１の選局」が対応付けられている。リモコン送信機２０において操作キーＡがＯＮとなる（Ｓ１）と、操作キーＡ（２１Ａ）に対応した赤外線信号（チャンネル１の選局信号に対応した信号）が赤外線出力部２３から発せられる。この赤外線信号を本体１０の受光部１１が受信する（Ｓ２）。受光部１１は、この赤外線信号を変換した電気信号を制御部１２に出力する。次に、制御部１２は、電源部１６を参照することにより、現在、本体１０の電源が未投入の状態であるか否かを判断する（Ｓ３）。電源が投入されている状態であった場合には、制御部１２は、チャンネル１の選局信号を出力し（Ｓ１１）、終了（Ｓ６）となる。電源が未投入であった場合には、制御部１２は、切替部１８を参照することにより、現在のモードがオールパワーオンモードであるか否かを判断する（Ｓ４）。オールパワーオンモードであった場合には、電源投入の信号を電源部１６に出力して（Ｓ５）、終了（Ｓ６）となる。電源部１６は、この信号により、本体１０における受光部１１、制御部１２以外の構成要素にも電源を供給する。ここで、電源が未投入でかつオールパワーオンモードである場合には、チャンネル１の選局信号は出力されず、電源投入の信号のみが出力される。
【００２０】
なお、上記の例では、操作キーＡ（２１Ａ）の操作について述べたが、他の操作キー（Ｂ〜Ｚ）についても同様の動作が行われる。また、操作キーＡに「チャンネル１の選局」が対応づけられているとしたが、各操作キーに対応付けられる動作も任意である。
【００２１】
従って、オールパワーオンモードに設定されていた場合には、どの操作キーが操作されても、その後は電源が投入された状態となる。すなわち、この場合には、電源未投入の段階では全ての操作キーが電源投入のための操作キーとして機能し、各操作キーに対応したこれ以外の動作は一切行われない。
【００２２】
既に電源が投入されている場合（Ｓ３）、またはオールパワーオンモードが設定されていない場合（Ｓ４）、制御部１２は、受光部１１から入力した電気信号より、操作キーＡに対応した動作をさせるための信号を各構成要素に出力する（Ｓ１１）。例えば、操作キーＡに「チャンネル１の選局」が対応する場合には選局部１３にこのための信号を出力し、「音量の１段階増加」が対応する場合には表示部１５にこのための信号を出力する。選局部１３や表示部１５はこれに対応する動作を行なう。
【００２３】
従って、既に電源が投入されている場合、またはオールパワーオンモードが設定されていない場合には、各操作キーに対応した動作のみを行なう。これにより、利用者は、このリモコン送信機２０によってこの本体１０における所望の操作をすることができる。また、電源が未投入の状態でかつオールパワーオンモードに設定されていない状態で、例えば「チャンネル１の選局」に対応する操作キーが操作されても、選局部１３等の電源が未投入であるために、実際にはこの動作は行われない。この場合には、「電源投入」に対応する操作キーが操作された場合にのみ、電源投入のための信号が出力され、電源が投入される。これ以降、利用者は、このリモコン送信機２０によって「チャンネル１の選局」等、電源投入以外の所望の操作をすることができる。
【００２４】
オールパワーオンモードであるか否かの設定は、切替部１８の不揮発性メモリ（電源切断時にも記憶保持されるメモリ）に記憶されている。このメモリには例えばフラッシュメモリを用いることができる。あるいは、この切替部１８は制御部１２と一体化し、受光部１１と制御部１２に常に電源が投入されている電源供給方式の場合には常に電源が投入される設定としてもよい。この設定の切替は、リモコン送信機２０におけるキー操作または本体１０における切替スイッチの操作により行われる。キー操作により行なう場合には、例えば、リモコン送信機２０に「オールパワーオン」と表示された操作キーを設け、電源が投入された状態でこれが操作された場合に、オールパワーオンモードに設定させることができる。あるいは、「オールパワーオン／通常」と表示された操作キーを設け、この操作キーが押される度に、オールパワーオンモードが設定された状態と設定されない状態とが交互に切り替えられる設定としてもよい。この場合には、表示部１５に、現在のモードを示す「オールパワーオン」または「通常」の表示をOSD発生部１７が作成し、表示部１５に設定直後に表示させることが好ましい。また、これらの操作キーを設けなくとも、表示部１５の画面にメニューを表示させ、利用者がカーソルの位置をリモコン送信機２０または本体１０の操作キーを操作し、これらの設定を行なわせることもできる。本体１０において切替スイッチを設ける場合においては、ディップスイッチ等、任意の形態のものを用いることができる。
【００２５】
このテレビジョン受像機１でオールパワーオンモードが設定されている場合、特に電源投入の動作を容易に行うことができる。例えば、室内が暗く、操作キーの識別が困難な場合にあっても、利用者はリモコン送信機２０のどの操作キーを押しても電源投入をすることができる。その後、利用者は各操作キーを操作することにより、このテレビジョン受像機１における所望の操作をすることができる。
【００２６】
また、利用者は室内が暗い場合にはどの操作キーを押したかの認識が困難であり、この状態で操作キーが押された場合には、利用者が予期できない状態となる場合がある。例えば、「テレビ／ビデオ切替」の操作キーを押した場合には、ビデオ入力となり表示部１５に何も表示されない状態となる場合がある。同様に、「音声OFF」の操作キーを押した場合には、音声が出力されないことになる。電源投入直後に利用者の認識無しにこれらの状態となった場合、利用者は、このテレビジョン受像機の状態を把握することが困難となる。これに対して、このテレビジョン受像機１においては、電源が投入されておらず、かつオールパワーオンモードである場合には、本体１０はどの操作キーが押されたかに関わらず電源投入の動作のみを行なう。このため、電源投入以外に、利用者が予期しない動作は行われない。電源投入以外の動作は、電源投入後に改めて操作キーを利用者が認識した上で確実に行うことができる。
【００２７】
なお、オールパワーオンモードが設定された場合には、前記の動作、すなわち、どの操作キーが押されたかに関わらず電源投入の動作のみを行なうが、この動作を行わせるための付加条件をさらに設けてもよい。すなわち、オールパワーオンモードを有効とするための付加条件を設けることができる。この付加条件による判定工程を図３のフローチャートにおけるＳ３、Ｓ４の工程と同様に設けることができ、この付加条件が満たされなかった場合にも操作キーに対応した動作のみを行なう（Ｓ１１）設定とすることができる。
【００２８】
例えば、本体１０に時刻計測手段を設け、時刻によりこの付加条件を設定することができる。例えば、１８時から７時の間にのみオールパワーオンモードを有効とし、これ以外の時間帯では無効とすることができる。この場合には、夜間においてのみ電源投入が容易に行える設定となる。また、本体１０にタイマーを設け、このタイマーで計測された各種の時間に応じた付加条件を設定することもできる。例えば、電源が切断されている時間が一定時間、例えば８時間以上の場合にオールパワーオンモードを有効とすることができる。また、直前に操作が行われた（操作キーのいずれかが押された）時からの経過時間が一定時間以上の場合にオールパワーオンモードを有効とすることもできる。これらの場合には、このテレビジョン受像機１が長時間使用されなかった場合にのみ、利用者が次に使用する際の電源投入が容易に行える設定となり、その他の場合はオールパワーオンモードが設定されていない場合と同一の動作を行なう。電源投入が一度なされれば、電源が切断されている時間は零となるため、あるいはその時点でキー操作がなされているため、その直後に行われるキー操作に際しては、オールパワーオンモードが設定されていない場合と同一の動作を行なう。すなわち、電源が切断されてから長時間経過していない場合や、直前のキー操作が行われてからの経過時間が短い場合には、利用者は各操作キーにより所望の操作を行うことができる。
【００２９】
また、本体１０に照度センサを設け、測定された照度が一定の値、例えば１００ルクス未満の場合にオールパワーオンモードを有効とすることができる。この場合も、本体１０の設置された環境が暗い場合には、特に電源投入の動作を容易に行うことができる。電源が投入された後は環境が明るくなるため、オールパワーオンモードは有効とはならず、各操作キーに応じた動作がなされる。
【００３０】
付加条件はこのテレビジョン受像機１の使用の態様に応じてこれら以外にも任意に設定できる。また、これらの付加条件のうちの複数が満たされた場合にオールパワーオンモードを有効とすることもできる。さらに、これらの付加条件により、オールパワーオンモードを有効とするか否かではなく、これに応じてオールパワーオンモードを設定するか否かを切替部１８に行なわせることも可能である。
【００３１】
また、このテレビジョン受像機１においては、オールパワーオンモードであるか否かに応じた動作を行なうのは本体１０における制御部１２、切替部１８である。この際、リモコン送信機２０はオールパワーオンモードであるか否かに関わらず、各操作キーに対応した信号を受光部１１に対して発するという単純な機能を有すればよい。従って、図２の構成図のように、リモコン送信機２０の構成を単純なものとすることができる。従って、小型のリモコン送信機とすることができる。
【００３２】
なお、以上の説明では、オールパワーオンモードであるか否かを設定により切り替えていたが、常にオールパワーオンモードとすることもできる。すなわち、本体１０における受光部１１と制御部１２にのみ電源が供給された状態では、常にいずれかの操作キーが押された場合には電源投入の動作のみを行なう設定とすることもできる。この場合も、Ｓ３の判定により、電源投入後は各操作キーに対応した動作を行わせることが可能であり、利用者は本体１０の操作を行うことができる。この場合、リモコン送信機２０には電源投入のための操作キーは不要となり、電源切断のための操作キーを設けるだけでよい。
【００３３】
（第２の実施の形態）
第２の実施の形態に係るテレビジョン受像機は、第１の実施の形態に係るテレビジョン受像機と同様の機能を有する。すなわち、オールパワーオンモードであるか否かに応じた動作を行なうが、第１の実施の形態に係るテレビジョン受像機とはこの動作を実現するための構成が異なる。特に異なるのは、リモコン送信機の構成である。ここで、対応する本体の構成としては、図１における切替部１８を備える必要がない。このテレビジョン受像機においては、前記のオールパワーオンモードであるか否かに応じた動作を、リモコン送信機側の対応によって実現している。
【００３４】
図４は、第２の実施の形態に係るテレビジョン受像機におけるリモコン送信機３０の構成図である。このリモコン送信機３０は、複数の操作キー３１Ａ〜３１Ｚを備え、これらの各操作キーには本体における各種の動作が対応しており、各操作キーには、第１の実施の形態と同様に、対応する動作名、例えば「１」、「音量＋」、「電源」等が表示されている。これらの各操作キーの操作によりリモコン制御部３２はこの動作に対応した信号を作成し、赤外線出力部３３はこの信号で赤外線を変調した赤外線信号を発する。なお、複数の操作キー３１Ａ〜３１Ｚと各動作の対応は任意であるが、その中には、本体の電源投入に対応する操作キーは含まれているものとする。
【００３５】
ここで、複数の操作キー３１Ａ〜３１Ｚの他に、このリモコン送信機３０は、オールパワーオンキー３４を有する。また、リモコン制御部３２は、マイコン３５とメモリ３６を有する。このテレビジョン受像機がオールパワーオンモードであるか否かは、オールパワーオンキー３４により選択され、不揮発性のメモリである３６に記憶される。例えばこの設定は、オールパワーオンキー３４が押される度に交互に選択される設定とすることができる。マイコン３５は、この設定に応じてリモコン制御部３２から出力する信号を決定する。このリモコン送信機３０は、操作キーのいずれかが押された場合にしか機能しないため、以上の各構成要素の電源は、複数の操作キー３１Ａ〜３１Ｚのいずれかが押された場合に一時的に投入される設定とすることができる。
【００３６】
また、このリモコン送信機３０は、更にタイマ３７、照度センサ３８を備える。タイマ３７は、直前に複数の操作キー３１Ａ〜３１Ｚのいずれかが操作されてからの経過時間を測定する。すなわち、キー操作がある度にこの経過時間がリセットされる構成となる。照度センサ３８は、このリモコン送信機３０の置かれた環境の照度を測定する。照度センサ３８の電源は、前記の他の構成要素と同様に、複数の操作キー３１Ａ〜３１Ｚのいずれかが押された場合に投入される設定とすることができる。タイマ３７の電源は、常時ＯＮとなっていることが必要である。このため、タイマ３７に対してのみ他の構成要素の電源とは別に、例えば超小型の電池が接続されていることが好ましい。
【００３７】
ここで、例えば操作キーＡ（３１Ａ）が操作された場合のマイコン３５の動作を示すフローチャートが図５である。ここで、操作キーＡには「チャンネル１の選局」が対応付けられている。操作キーＡがＯＮとなる（Ｓ３１）と、これに接続されたマイコン３５はこれを認識する。次に、マイコン３５は、メモリ３６を参照することにより、オールパワーオンモードであるか否かを判断する（Ｓ３２）。オールパワーオンモードである場合には、オールパワーオンモードが現在有効であるか否かの判定を行なう（Ｓ３３）。
【００３８】
ここで、オールパワーオンモードが有効であるか否かの判定（Ｓ３３）とは、操作キーがいずれであるかに関わらず電源投入をする動作を実際に行なうか否かの最終判定である。この判定のためには、タイマ３７により測定された前記の経過時間を用いることができる。これにより、前記の経過時間が例えば８時間以上であれば、このキー操作は利用者が帰宅してすぐの操作である可能性が高いため、オールパワーオンモードを有効とすることができる。さらに、照度センサ３８により測定された照度もこの判定に用いることができ、室内が暗く、例えば照度が１００ルクス未満である場合には、オールパワーオンモードを有効とすることができる。すなわち、前記の経過時間が長く、かつ室内が暗い場合にオールパワーオンモードを有効とすることができる。
【００３９】
オールパワーオンモードが有効であると判定された場合（Ｓ３３）には、リモコン制御部３２は、電源投入の信号を赤外線出力部３３に出力する（Ｓ３４）。ここで、操作キーＡに対応した動作は「チャンネル１の選局」であるが、この出力はせず、電源投入の信号のみを出力する。これにより、赤外線出力部３３は、電源投入のための信号を変調した赤外線信号を発し、処理終了（Ｓ３５）となる。
【００４０】
一方、オールパワーオンモードでない場合（Ｓ３２）、またはオールパワーオンモードが有効でない場合（Ｓ３３）には、リモコン制御部３２は、操作キーＡに対応した動作のみを行ない（Ｓ４１）、処理終了（Ｓ３５）となる。すなわち、「チャンネル１の選局」に対応する信号を出力する。この場合には、電源投入の信号が発せられることはない。
【００４１】
また、オールパワーオンモードが有効であると判定され（Ｓ３３）、電源投入の信号が出力された（Ｓ３４）後は、一度キー操作がされているため、タイマ３７における経過時間がリセットされている。このため、直後に再度操作キーＡが操作された場合には、オールパワーオンモードは有効でないと判定される（Ｓ３３）。このため、リモコン制御部３２は、チャンネル１の選局動作のみを行なう（Ｓ４１）。これにより、利用者は「チャンネル１の選局」操作を行うことができる。以降の操作に対しても同様である。
【００４２】
上記の例では、操作キーＡ（２１Ａ）の操作について述べたが、他の操作キー（Ｂ〜Ｚ）についても同様の動作が行われる。また、操作キーＡに「チャンネル１の選局」が対応づけられているとしたが、各操作キーに対応付けられる動作も任意である。すなわち、オールパワーオンモードに設定されており、かつオールパワーオンモードが有効である場合には、どの操作キーが操作されても、電源投入の信号がこのリモコン送信機３０から発信され、その後は電源が投入された状態となる。すなわち、この場合には、電源未投入の段階では全ての操作キーが電源投入のための操作キーとして機能し、各操作キーに対応したこれ以外の動作は一切行われない。また、オールパワーオンモードが設定されていないか、またはオールパワーオンモードが有効でない場合には、このリモコン送信機３０は、各操作キーに対応した動作を行なうための信号を発信する。
【００４３】
なお、オールパワーオンモードが有効であるか否かの判定に、タイマ３７を用いず、照度センサ３８により測定された照度のみを用いることも可能である。この場合、オールパワーオンモードが設定されている場合には、室内が暗い場合にはこのリモコン送信機３０は常に電源投入の動作しかできない。しかしながら、特にこのテレビジョン受像機のディスプレイが大型である場合には、電源投入後には室内は明るくなるため、自動的に室内が明るくなる。このため、電源投入後にはオールパワーオンモードは無効となり、以降は各操作キーに対応した動作が行われる（Ｓ４１）。
【００４４】
このテレビジョン受像機においても、オールパワーオンモードに設定され、かつオールパワーオンモードが有効である場合には、どの操作キーが操作されても電源が投入され、各操作キーに対応したこれ以外の動作は一切行われない。
【００４５】
このテレビジョン受像機においては、オールパワーオンモードにあるか否かの判定（Ｓ３２）はマイコン３５が行なう。電源を投入する信号（Ｓ３４）および各操作キーに対応した動作の信号（Ｓ４１）は、リモコン制御部３２により作成され、これを赤外線で変調した赤外線信号は、赤外線出力部３３により発せられる。すなわち、オールパワーオンモードであるか否かの設定と、この設定に応じて異なる動作をするのはリモコン送信機３０のみである。
【００４６】
この場合、本体の電源を投入するための信号は、電源投入に対応する操作キーが押された場合と、オールパワーオンモードにおいていずれかの操作キーが押された場合のいずれかにおいて、このリモコン送信機３０から発せられる。このどちらの場合にも同一の信号（電源投入の信号）が発せられるため、本体は、現在のモードがオールパワーオンモードであるか否かを認識する必要がない。従って、本体の制御部は、常に赤外線信号により入力した信号に従った動作のみを行なう。
【００４７】
このリモコン送信機３０が用いられるテレビジョン受像機においても、第１の実施の形態に係るテレビジョン受像機と同様に、オールパワーオンモードに設定されている場合には、特に電源投入の動作を容易に行うことができる。例えば、室内が暗く、操作キーの識別が困難な場合にあっても、利用者はリモコン送信機３０のどの操作キーを押しても電源投入をすることができる。その後、利用者は各操作キーを操作することにより、このテレビジョン受像機における所望の操作をすることができる。
【００４８】
また、第１の実施の形態に係るテレビ受像機と同様に、オールパワーオンモードにおいて電源が投入される場合には、電源投入以外の動作は行われない。このため、利用者が予期しない動作が行われることはない。
【００４９】
なお、上記の第２の実施の形態においては、照度センサ３７とタイマ３８とを有していたが、前記の通り、これらのうちのいずれかを有していても同様の効果が得られる。
【００５０】
このリモコン送信機３０においては、オールパワーオンモードは容易に解除できる設定とすることが好ましい。例えば、オールパワーオンキー３４を再度押すことにより、オールパワーオンモードが解除される設定とすることができる。また、オールパワーオンモードを解除するための操作キーを別途設けてもよい。現在オールパワーオンモードであるか否かは、リモコン送信機３０の一部に表示させることが好ましい。
【００５１】
また、このテレビジョン受像機においては、リモコン送信機３０が本体の電源の状態とは関わりなく前記の動作を行い、信号は常にリモコン送信機３０から本体へ送信されている。このため、実際に本体の電源が投入されているか否かについての情報はリモコン送信機３０には得られない。本体とこのリモコン送信機３０とを相互通信させ、このための情報を本体からリモコン送信機３０が得られる構成とすることもできる。例えば、リモコン送信機３０に赤外線出力部３３のみでなく赤外線受光部も設け、同時に本体にも赤外線出力部も設けることにより、本体とリモコン送信機３０とが相互に赤外線通信ができる。この場合には、図５のフローチャートにおいて、オールパワーオンモードが有効であるか否かの判定（Ｓ３３）の代わりに、第１の実施の形態におけるフローチャート（図３）におけるＳ３と同様に、電源未投入か否かの判定をマイコン３５がすることもできる。
【００５２】
この場合には、リモコン送信機３０のいずれかの操作キーが押された場合には、まず本体の電源状況を本体に発信させるための信号を赤外線出力部３３が発信し、これに対する回答をリモコン送信機３０が受信し、電源未投入であるか否かの情報を入手してから図５のフローチャートの動作（Ｓ３２以降）をさせることができる。
【００５３】
第２の実施の形態に係るテレビジョン受像機の場合には、モード設定に応じた動作はすべてリモコン送信機３０が行う。このため、従来のテレビジョン受像機において特に高コストである本体を全く変更すること無しに、リモコン送信機の変更だけでこのテレビジョン受像機を実現できる。従って、低コストでこのテレビジョン受像機を得ることができる。
【００５４】
また、例えば照度センサ３８により測定された照度を用いる場合には、このリモコン送信機３０の環境に応じてオールパワーオンモードが有効とされる。すなわち、利用者の手元にあるリモコン送信機の環境に応じて容易に電源の投入を行うことができる。
【００５５】
なお、第１、第２の実施の形態共に、テレビジョン受像機の場合につき述べたが、本発明はこれに限られるものではなく、リモコン送信機を用いて操作される他の電気機器にも同様に適用できる。例えば、エアコン、ビデオデッキ、ＤＶＤプレーヤー等、室内に設置され、その本体が大型の電気機器には特に好ましく用いることができる。また、室内ではなく、自動車内で使用される他の電気機器、例えばカーナビゲーションシステム等にも同様に適用できる。また、リモコン送信機と本体とが赤外線通信で接続される場合につき述べたが、他の接続方法、例えば有線で接続される場合にも同様に適用できる。
【図面の簡単な説明】
【００５６】
【図１】本発明の第１の実施の形態に係るテレビジョン受像機の構成図である。
【図２】本発明の第１の実施の形態に係るテレビジョン受像機におけるリモコン送信機の構成図である。
【図３】本発明の第１の実施の形態に係るテレビジョン受像機における動作のフローチャートである。
【図４】本発明の第２の実施の形態に係るテレビジョン受像機におけるリモコン送信機の構成図である。
【図５】本発明の第２の実施の形態に係るテレビジョン受像機における動作のフローチャートである。
【符号の説明】
【００５７】
１  テレビジョン受像機
１０  本体
１１  受光部
１２  制御部
１３  選局部
１４  映像処理部
１５  表示部
１６  電源部
１７  OSD発生部
１８  切替部
２０、３０  リモコン送信機
２１Ａ〜２１Ｚ、３１Ａ〜３１Ｚ  操作キー
２２、３２  リモコン制御部
２３、３３  赤外線出力部
３４  オールパワーオンキー
３５  マイコン
３６  メモリ
３７  タイマ
３８  照度センサ
【図１】
2008135917.tif 000003
【図２】
2008135917.tif 000004
【図３】
2008135917.tif 000005
【図４】
2008135917.tif 000006
【図５】
2008135917.tif 000007